(57)【要約】    【課題】全ての気筒の空燃比を均一化し得るように多気筒エンジンの吸気装置を改良する。    【解決手段】各気筒に個々に連結された複数の独立吸気通路６と、独立吸気通路の各上流端を連結させた共通のサージタンク２と、サージタンク内の独立吸気通路の各開口面８へ向けて個々に燃料を噴射する複数の燃料噴射弁７と、サージタンクに吸気を流入させる共通吸気通路４とを有し、複数の独立吸気通路の各上流端開口が略一直線上に並ぶと共に、共通吸気通路の下流端が上流端開口の列の一側に開口している吸気装置１において、共通吸気通路の下流端開口と、該開口に最も近い位置にある独立吸気通路の上流端開口との間に、サージタンク内に流入する吸気流に規制を加えるための規制手段（邪魔板１０）を配設するものとした。【選択図】図１
2006207405.tif 000002
【特許請求の範囲】
【請求項１】
多気筒エンジンの各気筒に個々に連結された複数の独立吸気通路と、該独立吸気通路の各上流端を連結させた共通のサージタンクと、該サージタンク内の前記独立吸気通路の各開口へ向けて個々に燃料を噴射する複数の燃料噴射弁と、前記サージタンクに吸気を流入させる共通吸気通路とを有し、前記複数の独立吸気通路の各上流端開口が略一直線上に並ぶと共に、前記共通吸気通路の下流端が前記上流端開口の列の一側に開口している多気筒エンジンの吸気装置であって、
前記共通吸気通路の下流端開口と、該開口に最も近い位置にある前記独立吸気通路の上流端開口との間に、サージタンク内に流入する吸気流に規制を加えるための規制手段を配設したことを特徴とする多気筒エンジンの吸気装置。
【請求項２】
前記独立吸気通路の上流端が前記サージタンクの内方へ突出するファンネル状をなし、
前記燃料噴射弁の噴射口と前記独立吸気通路の上流端開口面との間には、前記共通吸気通路の軸線方向から見て離間した燃料拡散領域が形成されており、
前記規制手段は、少なくとも前記燃料拡散領域を前記共通吸気通路の軸線方向について覆い隠していることを特徴とする請求項１に記載の多気筒エンジンの吸気装置。
【発明の詳細な説明】
【技術分野】
【０００１】
本発明は、多気筒エンジンの各気筒に個々に連結された複数の独立吸気通路と、該独立吸気通路の各上流端を連結させた共通のサージタンクと、該サージタンク内の独立吸気通路の各開口へ向けて個々に燃料を噴射する複数の燃料噴射弁と、サージタンクに吸気を流入させる共通吸気通路とを有する多気筒エンジンの吸気装置に関するものである。
【背景技術】
【０００２】
スロットル弁を備えた共通吸気通路のスロットル弁より下流側にサージタンクを接続すると共に、エンジンの各気筒の吸気ポートに接続された複数の独立吸気通路の上流端をサージタンク内に開口させ、この開口に燃料噴射弁の噴射口を対向させた吸気装置が知られている（特許文献１を参照されたい）。
【０００３】
この形式の吸気装置においては、独立吸気通路の上流端開口面と燃料噴射弁の噴射口とを軸線方向について離間させ、この隙間で燃料を拡散させることによって吸気の冷却を図っている。
【特許文献１】特開平０７−２４７９２４号公報
【発明の開示】
【発明が解決しようとする課題】
【０００４】
この構造によると、複数の独立吸気通路の各上流端開口が略一直線上に並ぶと共に、共通吸気通路の下流端が独立吸気通路の上流端開口の列の一側に開口しているため、共通吸気通路からサージタンクに流入した吸気が独立吸気通路へ流入するためには、吸気流線が殆ど直角に曲がらなければならない。
【０００５】
しかるに、吸気の流速が高くなる高速回転域においては、慣性のために吸気流が直進する傾向が強くなるので、特にサージタンクにおける吸気流入口である共通吸気通路の開口に近い独立吸気通路に対応する燃料噴射弁からの噴射燃料が直進する吸気流で吹き飛ばされることがある。そのため、他の気筒との空燃比のバランスが悪化し、これに起因して出力低下を招くことがあった。
【０００６】
本発明は、このような不都合を解消すべく案出されたものであり、その主な目的は、上記構成の吸気装置において、全ての気筒の空燃比を均一化し得るように改良することにある。
【課題を解決するための手段】
【０００７】
このような目的を達成するために本発明の請求項１は、多気筒エンジン５の各気筒に個々に連結された複数の独立吸気通路６と、該独立吸気通路の各上流端を連結させた共通のサージタンク２と、該サージタンク内の前記独立吸気通路の各開口面８へ向けて個々に燃料を噴射する複数の燃料噴射弁７と、前記サージタンクに吸気を流入させる共通吸気通路４とを有し、前記複数の独立吸気通路の各上流端開口が略一直線上に並ぶと共に、前記共通吸気通路の下流端が前記上流端開口の列の一側に開口している吸気装置１において、前記共通吸気通路の下流端開口と、該開口に最も近い位置にある前記独立吸気通路の上流端開口との間に、サージタンク内に流入する吸気流に規制を加えるための規制手段（邪魔板１０）を配設するものとした。
【０００８】
また請求項２において、前記独立吸気通路の上流端が前記サージタンクの内方へ突出するファンネル状をなし、前記燃料噴射弁の噴射口と前記独立吸気通路の上流端開口面との間に前記共通吸気通路の軸線方向から見て離間した燃料拡散領域が形成されており、前記規制手段は、少なくとも前記燃料拡散領域を前記共通吸気通路の軸線方向について覆い隠しているものとした。
【発明の効果】
【０００９】
このように構成した本発明の請求項１によれば、共通吸気通路からサージタンク内に流入する吸気流を規制手段によって乱流化し得るので、特に高速回転領域において、共通吸気通路に最も近い独立吸気通路へ向けて噴射された燃料が吸気流によって吹き飛ばされることがなくなり、各気筒への燃料供給量が均一化される。また、請求項２の構成によれば、共通吸気通路からサージタンクに流入する吸気流が、大きな慣性をもって直進的に燃料拡散領域に吹き込むことが規制手段によって抑制されるので、上記の効果をより一層促進することができる。
【発明を実施するための最良の形態】
【００１０】
以下に添付の図面を参照して本発明について詳細に説明する。
【００１１】
図１、２は、本発明に基づき構成された多気筒エンジンの吸気装置の概略構成図である。この吸気装置１は、Ｖ型エンジンの片バンクあるいは直列多気筒エンジンに適用されるものであり、適宜な容積のサージタンク２と、サージタンク２への吸気流入量を制御するためのスロットル弁３を備え、サージタンク２の一側壁に設けられた共通吸気通路管４と、エンジン５の各気筒の燃焼室に個々に連通するようにサージタンク２の底壁に設けられた複数の独立吸気通路管６と、各独立吸気通路管６のサージタンク内開口に対応してサージタンク２の上壁に設けられた複数の燃料噴射弁７とからなっている。
【００１２】
複数の独立吸気通路管６は、その各上流端が、サージタンク２の内方へ突出するファンネル状をなしており、その開口中心を、シリンダ列に平行な一直線上に並ばせている。そして複数の燃料噴射弁７は、各独立吸気通路管６へ向けて個々に燃料を噴射するように、各独立吸気通路管６の上流端開口面８にその噴射口９を対向させている。
【００１３】
燃料噴射弁７の噴射口９と独立吸気通路管６の上流端開口面８との間は、この部分に燃料拡散領域を形成させるために、共通吸気通路管４の軸線方向から見て適宜な寸法だけ離間している。
【００１４】
サージタンク２に接続された共通吸気通路管４の下流端は、一直線上に並んだ独立吸気通路管６の上流端開口面８の列の一側に開口している。そしてこの共通吸気通路管４の開口と、この開口に最も近い位置にある独立吸気通路管６との間には、サージタンク２内に流入する吸気流を乱流化するための規制手段として、サージタンク２の互いに対向する側壁内面同士間を接続する邪魔板１０が形成されている。
【００１５】
この邪魔板１０は、燃料噴射弁７の噴射口９と独立吸気通路６の上流端開口面８との間の燃料拡散領域を共通吸気通路管４の軸線方向について覆い隠すように、その上縁１０ａの高さ位置が定められている。
【００１６】
以上の如く構成された吸気装置１によると、共通吸気通路管４内を流れる吸気は、スロットル弁３によってその流量が制御されてサージタンク２内に流入した後、各独立吸気通路管６によって分流されてエンジン５の各気筒の燃焼室に供給される。他方、燃料噴射弁７から噴射された燃料は、サージタンク２内における各独立吸気通路管６の上流端開口面８を臨む位置へ噴射され、サージタンク２を経て各独立吸気通路管６に流入する吸気流に混入してエンジン５の各気筒の燃焼室に供給される。
【００１７】
ここで、共通吸気通路管４からサージタンク２内に流入した吸気流の一部が邪魔板１０にぶつかるため、吸気流が乱流化されるので、特に高速回転領域において、共通吸気通路管４の開口に最も近い独立吸気通路管６へ向けて噴射された燃料が吸気流によって吹き飛ばされることがなくなり、各気筒への燃料供給量が均一化される。これにより、図３に実線で示したように、邪魔板の無いエンジンに比して出力特性を向上することができる。
【００１８】
なお、規制手段としての邪魔板１０の形状は、図示した形態に限らないことは言うまでもない。
【図面の簡単な説明】
【００１９】
【図１】本発明装置の一部切除して示す上面図である。
【図２】図１中のII−II線に沿う断面図である。
【図３】本発明の適用、非適用を比較したエンジンの出力特性線図である。
【符号の説明】
【００２０】
１  吸気装置
２  サージタンク
４  共通吸気通路管
５  多気筒エンジン
６  独立吸気通路管
７  燃料噴射弁
８  上流端開口面
１０  邪魔板（規制手段）
【図１】
2006207405.tif 000003
【図２】
2006207405.tif 000004
【図３】
2006207405.tif 000005